(57)【特許請求の範囲】
【請求項１】
主鏡と、主鏡に隣接すると共に主鏡側の端縁を回転中心として回動可能な袖鏡とを有する化粧鏡において、前記袖鏡の表裏側を鏡面とし、袖鏡の開放端部を回転中心として回動可能な両面袖鏡を取付けたことを特徴とする化粧鏡。
【発明の詳細な説明】
【０００１】
【発明の属する技術分野】
本発明は二面鏡や三面鏡等の多面鏡タイプの化粧鏡に関し、化粧鏡の袖鏡の両面に鏡を付加した化粧鏡の構造に関する。
【０００２】
【従来の技術】
化粧鏡１は洗面化粧台の上にあり、洗面化粧台の洗面器は顔を洗ったり、シャンプーするために奥行きが大きく、そのため顔から鏡面までが遠い（図１７）。また、主鏡３と共に袖鏡４がついて二面鏡、三面鏡として利用できる化粧鏡１において、不使用時に袖鏡４を固定しておくキャッチ構造は、通常、壁のゆがみなどを吸収するためにマグネットキャッチを使用される。マグネットキャッチの構成部材は、マグネット２１とマグネット受け座２２の２つの部材であり、一方が化粧鏡本体１５に、他方が袖鏡４の裏側に取付けられる（図１８）。
【０００３】
【発明が解決しようとする課題】
従来の化粧鏡１は、洗面化粧台の上に設置されており顔を映す場合、かがまなければ顔を近くで見ることができなかった。また、側頭部や後頭部を見る場合も同様、かがまなければ見にくく、かがんでも両袖鏡４が小さく見えにくかった。また、キャッチ構造について、２つの部材をそれぞれ異なる部材に取付けるため、コストアップとなり、取付け作業にも負荷がかかる。そこで、本発明は、上記課題を解決するために、楽な姿勢で鏡を見ることができ、使いやすい多面鏡タイプの化粧鏡を得ることを目的とする。
【０００６】
【課題を解決するための手段】
請求項１は、主鏡と、主鏡に隣接すると共に主鏡側の端縁を回転中心として回動可能な袖鏡とを有する化粧鏡において、袖鏡の表裏側を鏡面とし開放端部を回転中心として回動可能な両面袖鏡を取付けた。
これにより、化粧・ヘアスタイリングを行なう際に、腰をかがめなくても顔の近くに鏡を移動させることができるので、顔や頭を近くで見ることができ、鏡の使い勝手が向上する
【００１１】
【発明の実施の形態】
以下、本発明の実施形態を図面に基づいて説明する。図１は、本発明の化粧鏡を据え付けた洗面化粧台の正面図である。化粧鏡１は、洗面台２の上に設置され、主鏡３の両隣に主鏡側の端縁４ａを回転中心として回動可能な袖鏡４を有している。
【００１２】
また、図１のように、袖鏡４の開放端部４ｂに、袖鏡４より小さい内袖鏡５を上下のヒンジ６を介して取付け、回動するようにする。このとき、図１４のように、袖鏡４は両面鏡であり、上下のヒンジ６２を介して取付け、回動するようにする。
【００１３】
図２のように、内袖鏡５の上下寸法を袖鏡４より小さくし、両鏡の鏡止め具７，８同士が干渉しないようにしたので、袖鏡４と内袖鏡５を折りたたんだ時の厚みを薄くすることができ、化粧鏡全体の奥行き寸法が小さくなる。
【００１６】
なお、内袖鏡５を開いた際に、袖鏡４と内袖鏡５との干渉により鏡の割れが考えられるので、図５のように、袖鏡４と内袖鏡５の木口に軟質の樹脂９を貼り付けている。この軟質系樹脂９は指はさみによるけが防止の役目もしている。
【００１７】
さらに、従来の化粧鏡１では隣に壁Ｗがきても、袖鏡４の開閉に問題はなかったが、今回は、さらに外側に開く内袖鏡５が取付くため、袖鏡４を収める際にしまい忘れた内袖鏡５が壁Ｗと干渉することが考えられる。よって、壁Ｗのキズ付防止と内袖鏡５の破損防止のために、図６のように、内袖鏡５の外側に軟質系樹脂１０を取り付ける。
【００１８】
また、袖鏡４の開閉の際に内袖鏡５が勝手に開かないように、袖鏡４とキャッチしておく必要がある。それには、図７のように、袖鏡４と内袖鏡５を連結しているヒンジ６をヒンジ６ａ，６ｂのように傾斜面１２と水平面１３を有することにより内袖鏡５を通常使う位置では水平面１３で回動し、ある角度まで行くと傾斜面１２に沿って自閉する。ただし、この場合、勢い良く袖鏡４を開いた時に遠心力により内袖鏡５が開くおそれがあるので、キャッチ構造が必要となる。
【００１９】
図８，９のように、内袖鏡５の鏡止め具８にマグネット１４を取付け、化粧鏡本体１５と袖鏡４を取付けているヒンジ１６をマグネット１４の受け座１７にして、キャッチする方法がある。この方法は、マグネット受け座１７をあらためて付ける必要がないので部品点数の削減と、取付け工数の削減になる。
【００２０】
また、袖鏡４の鏡止め具７に樹脂の弾性を利用して、図１０のような袖鏡４の鏡止め具７より凸部７ａを出し、その凸部７ａが内袖鏡５の鏡止め具８の凹部８ａに嵌合するようなキャッチ構造としてもいい。
【００２１】
袖鏡と内袖鏡の取付構造は、図１１のように袖鏡の裏からレールにより収納されており、使用する時にレールに沿って出てくる構造でも良い。内袖鏡が、完全に出てきた場合にヒンジが露出し、内袖鏡が回動する。
【００２５】
顔を近くで見たい時には、図１５のように、主鏡３とヒンジ６を９０°にし、内袖鏡５をヒンジ６と９０°にすることにより、内袖鏡５が化粧鏡と平行になり、ヒンジ６の幅分だけ顔に近くなり、見やすくなる。
【００２６】
また、図１６のように、裏鏡を使用するように袖鏡４を開けば、袖鏡面が前方に張り出したようになるので、使用者は従来技術のように化粧鏡１に向いて腰をかがめなくても、側頭部や後頭部を楽に見ることができる。
【００２７】
【発明の効果】
本発明は上記構成により次の効果を発揮する。
化粧・ヘアスタイリングを行なう際に、腰をかがめなくても顔の近くに鏡を移動させることができるので、顔や頭を近くで見ることができ、鏡の使い勝手が向上する。
【図面の簡単な説明】
【図１】本発明の化粧鏡を搭載した洗面化粧台の図で、（ａ）は正面図、（ｂ）は（ａ）のＰ部を裏面から見た拡大図。
【図２】図１において、内袖鏡を収めた状態のＡ−Ａ断面図。
【図３】参考図。
【図４】参考図。
【図５】袖鏡と内袖鏡の連結部を示す図。
【図６】内袖鏡と壁との緩衝のための樹脂を示す図。
【図７】内袖鏡の開放を固定するキャッチ構造の別の例を示す図。
【図８】内袖鏡を折り畳んだ状態を示す、袖鏡と内袖鏡の上部断面図。
【図９】内袖鏡を袖鏡に固定しておくキャッチ構造の一例を示す図。
【図１０】内袖鏡を袖鏡に固定しておくキャッチ構造のさらに別の例を示す図。
【図１１】内袖鏡を袖鏡の取付構造で別の例を示す図。
【図１２】参考図。
【図１３】参考図。
【図１４】参考図。
【図１５】袖鏡とヒンジを、互いに直角に開いた状態の洗面化粧台の概略平面図
【図１６】側頭部を見ている状態の、従来技術と本発明の比較図。
【図１７】従来技術を示す図。
【図１８】図１７のＱ部を示す拡大斜視図。
【符号の説明】
１…化粧鏡
３…主鏡
４…袖鏡
４ａ…開放端部
５…内袖鏡
７…（袖鏡の）鏡止め具
１４…マグネット
１６…ヒンジ
１７…マグネット受け座
【図１】
0004487296.tif 000002
【図２】
0004487296.tif 000003
【図３】
0004487296.tif 000004
【図４】
0004487296.tif 000005
【図５】
0004487296.tif 000006
【図６】
0004487296.tif 000007
【図７】
0004487296.tif 000008
【図８】
0004487296.tif 000009
【図９】
0004487296.tif 000010
【図１０】
0004487296.tif 000011
【図１１】
0004487296.tif 000012
【図１２】
0004487296.tif 000013
【図１３】
0004487296.tif 000014
【図１４】
0004487296.tif 000015
【図１５】
0004487296.tif 000016
【図１６】
0004487296.tif 000017
【図１７】
0004487296.tif 000018
【図１８】
0004487296.tif 000019